(57)【特許請求の範囲】
【請求項１】
記録手段を有する印字部と、該印字部を摺動可能に保持する第一の直動手段を有するアーム部と、該アーム部を前記第一の直動手段の移動方向に対し直交方向に摺動可能に保持する第二の直動手段を有するベース部と、前記印字部と一定距離を保って対向する記録媒体止着部とより構成される記録装置において、
前記記録媒体止着部は前記ベース部に固定される主止着部と、該主止着部に着脱可能な副止着部とよりなり、記録媒体を固定した副止着部を前記主止着部に装着することを特徴とする記録媒体の固定装置。
【請求項２】
前記主止着部に副止着部を収容する収容部を設け、前記副止着部には記録媒体を前記副止着部に固定すると共に、主止着部への収容時に記録媒体を主止着部に押圧固定する保持部材を有することを特徴とする請求項１記載の記録媒体の固定装置。
【請求項３】
前記副止着部は、記録媒体を固定するための圧着開放手段を有する前記保持部材と、該保持部材に対向する受面を備えたことを特徴とする請求項２記載の記録媒体の固定装置。
【請求項４】
前記副止着部の保持部材が前記主止着部に係合する長さとし、前記副止着部の保持部材に対向した受面を記録媒体の開放方向に後退可能に形成し、前記副止着部の保持部材により記録媒体を前記主止着部に固定することを特徴とする請求項３記載の記録媒体の固定装置。
【請求項５】
前記主止着部にはガイド部材が設けられており、副止着部に設けられている位置決め部材と嵌合する構成であることを特徴とする請求項１ないし４記載の記録媒体の固定装置。
【請求項６】
前記副止着部に記録媒体との位置決めをする位置決めピンを設けたことを特徴とする請求項１ないし５記載の記録媒体の固定装置。
【請求項７】
前記記録媒体止着部に止着される記録媒体はＡ２サイズ以上の大きさであることを特徴とする請求項１ないし６記載の記録媒体の固定装置。
【請求項８】
前記記録媒体止着部にアルミ板の記録媒体を固定したことを特徴とする請求項１ないし７載の記録媒体の固定装置。
【請求項９】
記録手段を有する印字部と、該印字部を摺動可能に保持する第一の直動手段を有するアーム部と、該アーム部を前記第一の直動手段の移動方向に対し直交方向に摺動可能に保持する第二の直動手段を有するベース部と、前記印字部と一定距離を保って対向する記録媒体止着部とより構成される刷版用記録装置において、
前記記録媒体止着部は前記ベース部に固定される主止着部と、該主止着部に着脱可能な副止着部とよりなり、あらかじめこの副止着部に記録媒体を固定した後に前記主止着部に副止着部を取り付ける構成としたことを特徴とする記録媒体の固定装置
【請求項１０】
前記記録媒体止着部にアルミ板の記録媒体を固定したことを特徴とする請求項９記載の記録媒体の固定装置。
【発明の詳細な説明】
【０００１】
【発明の属する技術分野】
本発明は記録装置における記録媒体の固定構造に関するものである。
【０００２】
【従来の技術】
記録装置における記録媒体の固定構造としては、直接、記録装置本体に記録媒体を静電吸着やエアー吸引等により固定するものが知られている。
【０００３】
【発明が解決しようとする課題】
静電吸着やエアー吸引等により記録装置本体に記録媒体を直接固定する従来の固定構造においては、記録媒体を収納場所から記録装置本体まで移動する際に、手で掴んだ部分が折れ曲がったり、シワが寄ってしまう等の問題があった。特にサイズが大きい記録媒体を取り扱う際はなおさらであった。
【０００４】
また、記録媒体を記録装置本体に固定する際、記録媒体を固定する記録媒体止着部が縦方向に設置されている場合は、記録媒体が下に落ちないように保持しながら位置合わせる必要があり、操作性が非常に悪いという問題があった。
【０００５】
更に、Ａ２以上の大きな記録媒体においては重量的にも支持することが難しく、特に刷版機の版として用いられる記録媒体（例えばアルミ板からなる版材）などを簡便な従来の固定構造で支持することはできなかった。
【０００６】
そこで、本発明の課題は操作性容易で、かつ記録媒体の種類、大きさを選ばない記録媒体の固定構造を提供することにある。
【０００７】
【課題を解決するための手段】
上記課題を達成するため、本発明では、記録手段を有する印字部と、該印字部を摺動可能に保持する第一の直動手段を有するアーム部と、該アーム部を前記第一の直動手段の移動方向に対し直交方向に摺動可能に保持する第二の直動手段を有するベース部と、前記印字部と一定距離を保って対向する記録媒体止着部とより構成される記録装置において、前記記録媒体止着部は前記ベース部に固定される主止着部と、該主止着部に着脱可能な副止着部とよりなり、記録媒体を固定した副止着部を前記主止着部に装着するようにした。
【０００８】
また、前記主止着部に副止着部を収容する収容部を設け、前記副止着部に固定すると共に、主止着部への収容時に記録媒体を主止着部に押圧固定する保持部材を設けた。そして、前記副止着部に記録媒体を固定するための圧着開放手段を有する保持部とその保持部材に対向する受面を設けた。更に、前記副止着部を前記主止着部に取り付けたとき、前記副止着部の保持部を前記主止着部に掛かる長さとし、前記副止着部の保持部に対向した受面が保持部開放方向に後退し、前記副止着部の保持部が前記主止着部に付勢して記録媒体を固定するようにした。また、前記副止着部に記録媒体との位置決めピンを設けた。
【０００９】
上記のように構成された記録媒体の固定装置において、あらかじめ記録装置本体から取り外した副止着部に記録媒体を固定した後に主止着部に取り付けることから、副止着部の取り付け移動時に記録媒体に手が触れることが無く、記録媒体の折れ曲がりやシワ等が発生してしまうことは無い。また、副止着部を主止着部に取り付けたとき、副止着部の保持部材に対向した受面が保持部開放方向に後退し、副止着部の保持部が主止着部に付勢して記録媒体を固定するため、主止着部に対する副止着部の取り付け位置がばらついても、また、主止着部および副止着部の保持部材圧着面の平面度が悪くても、確実にしかも容易に記録媒体を固定できる。
【００１０】
また、別の手段として副止着部に記録媒体との位置決めピンを設けるようにした。この場合、副止着部と記録媒体との位置決めをすることができるばかりでなく、記録媒体に設けた穴にこの位置決めピンを勘合させることにより、副止着部への確実な記録媒体の固定が可能となる。
【００１１】
【発明の実施の形態】
以下、本発明を図面に基づいて説明する。
【００１２】
図１は本発明の一例を示す記録装置における記録媒体の固定構造を示す全体斜視図である。
【００１３】
図において、１はインクジェット方式を記録手段とする印字部で、２は印字部１を矢印Ａ方向に摺動可能に保持するアーム部である。このアーム部２に設けられた第一の直動手段はガイドレール３とモータ４、モータ４の回転軸４ａに軸着した駆動プーリ５、タイミングベルト６、従動プーリ７で構成されている。ここで、印字部１はガイドレール３に摺動可能に保持されるとともにタイミングベルト６に一部が固定されているので、モータ４の正逆転により印字部１が矢印Ａ方向に移動することができる。
【００１４】
８はベース部でその第二の直動手段は両端に設けたガイドレール９、１０、ボールネジ１１、モータ１２、カップリング１３から構成され、これらは鉛直方向である縦置きに設置されている。ここで、ボールネジ１１の端部１１ａにはカップリング１３を介してモータ１２が連結され、また、ボールネジ１１と螺合しボールネジ１１の軸上を移動可能なブロック１４がアーム部２に固定されている。従って、モータ１２の正逆転によりブロック１４がボールネジ１１の軸上を移動するので、アーム部２が矢印Ｂ方向に上下移動することができる。ここで、アーム部２の矢印Ｂ方向の移動方向は印字部１の矢印Ａ方向の移動方向に対し垂直方向に設定されている。
【００１５】
１５は記録媒体止着部で、ベース部８にネジ等により固定される主止着部１６と、主止着部１６に二つのボルト１７により着脱可能に取り付けられた副止着部１８とより構成される。この記録媒体止着部１５は印字部１と一定距離を保って対向している。また、１９は用紙やプラスチックフィルム等の記録媒体で、その上端部１９ａは副止着部１８に取り付けられた二つのフック（保持部）２０と主止着部１６との間に挟み込まれ、フック２０の主止着部１６への付勢力により固定される。一方、主止着部１６は電源の切入により静電気発生の切入が可能な静電吸着板から構成される。ここで静電吸着板自体は広く知られている技術であり詳細な説明は省略する。従って、記録媒体１９の上端部１９ａはフック２０で主止着部１６に機械的に固定され、記録媒体１９の上端部１９ａを除くその他の部分は静電吸着力によって主止着部１６に固定される。以上の説明から、主止着部１６と副止着部１８からなる記録媒体止着部１５に固定された記録媒体１９に対し、印字部１が矢印Ａ方向および矢印Ｂ方向に上下左右移動しインクを噴射することで印刷を行うことができる。
【００１６】
図２（ａ）は副止着部１８の概要を示す斜視図、図２（ｂ）は副止着部１８の組み立て構成の詳細を示す斜視図、図３、図４はその断面図である。
【００１７】
副止着部１８に設けられた二つのガイド穴１８ａには雌ねじ１８ｂがそれぞれ切ってあり、雌ねじ１８ｂと螺合する雄ねじ１７ａ、および雌ねじ１８ｂの内径よりも小さい軸部１７ｂを有したボルト１７が取り付けられている。この状態で副止着部１８のガイド穴１８ａに対し、ボルト１７は軸方向に自由に移動可能であるが、雄ねじ１７ａを雌ねじ１８ｂから外さない限りは脱落することはない。また、副止着部１８には下蓋１８ｃが設けられており、ネジ等により副止着部１８に固定されている。この副止着部１８と下蓋１８ｃとの合い面には二つの独立したフック２０を矢印Ｃ方向に摺動可能に保持する溝１８ｄ、およびフック２０を下蓋１８ｃの受面１８ｅ側に付勢させるコイルスプリング２１を収納する切欠部１８ｆ、およびフック２０と対向する一部にカット面２２ａを有するシャフト２２を回動可能に保持する切欠部１８ｇが設けられている。また、コイルスプリング２１はその一端が副止着部１８の切欠部１８ｆの壁１８ｈに突き当たり、もう一端はフック２０の受面２０ａに圧縮される状態で取り付けられている。このコイルスプリング２１は二つのフック２０ごとに独立して二つ設けられている。また、シャフト２２の一端にはシャフト２２を回転させるためのレバー２３がネジ等により固定されている。従って、図３の状態においてフック２０とシャフト２２のカット面２２ａとの間には隙間があるため二つのフック２０は副止着部１８の下蓋１８ｃの受面１８ｅ側に安定して圧着される状態にある。
【００１８】
図４は図３の状態のシャフト２２のレバー２３を矢印Ｄ方向に９０度回転させたことを示す断面図である。この状態でシャフト２２のカット面２２ａはフック２０から離れた状態になるため、フック２０は矢印Ｅ方向に押し出されることになる。従って、副止着部１８の受面１８ｅからフック２０を開放することができ、記録媒体１９を挿入することが可能となる。
【００１９】
次に記録装置への記録媒体の固定動作を説明する。
【００２０】
図５は副止着部に固定した記録媒体を記録装置本体に取り付ける状態を示す斜視図、図６はその部分断面図である。
【００２１】
副止着部１８の受面１８ｅ側とフック２０との間には記録媒体１９があらかじめ固定されている。これは、図４の状態に示すように副止着部１８からフック２０を開放して記録媒体１９を挿入した後に、図３の状態にレバー２３を回転させフック２０の副止着部１８の受面１８ｅへの圧着力により記録媒体１９を固定したものである。この固定時における副止着部１８への記録媒体１９の位置決めは、上下方向は記録媒体１９を二つのフック２０に突き当てて、および左右方向は副止着部１８の目印１８ｈに記録媒体１９の端部を合わせて行う。また、副止着部１８への記録媒体１９の固定作業は机上で行うと作業性が良く、記録媒体１９固定後の主止着部１６への副止着部１８の取り付けは二つのボルト１７を手で持つと操作性が良い。
【００２２】
一方、主止着部１６の上部にはガイドプレート２４がネジ等で固定されており、さらにガイドプレート２４には図３で示した副止着部１８の二つのガイド穴１８ａに係合するガイドピン２５がネジ等で固定されている。このガイドピン２５にはボルト１７の雄ねじ１７ａに螺合する雌ねじ２５ａが切ってある。
【００２３】
次に主止着部１６へ副止着部１８を取り付ける動作を断面図で説明すれば、図６（ａ）はフック２０の副止着部１８の受面１８ｅへの圧着力により記録媒体１９を固定した状態を示す。ここで、副止着部１８に移動可能に取り付けられたボルト１７の雄ねじ１７ａは、主止着部１６のガイドプレート２４に固定されたガイドピン２５の雌ねじ２５ａに螺合していない。次に、図６（ｂ）は図６（ａ）の状態からボルト１７の雄ねじ１７ａをガイドピン２５の雌ねじ２５ａに螺合させた後の状態を示す。図６（ａ）の状態から、ボルト１７の雄ねじ１７ａをガイドピン２５の雌ねじ２５ａに次第に螺合させていくと、ボルト１７の受面１７ｃが副止着部１８に当接し、副止着部１８を矢印Ｆ方向に移動させることになる。さらにボルト１７をガイドピン２５に螺合させていくと、副止着部１８の受面１８ｅが矢印Ｆ方向、つまりフック２０の開放方向に後退するため記録媒体１９はフック２０と主止着部１６との間に固定されることになる。ここで、フック２０は主止着部１６に掛かる長さに設定されているものとする。
【００２４】
従って、あらかじめ記録媒体１９を固定した副止着部１８を主止着部１６に取り付けると、副止着部１８の受面１８ｅが後退するため記録媒体１９は副止着部１８のフック２０と主止着部１６によって圧着固定され、主止着部１６に対する副止着部１８の取り付け位置がばらついても、また、主止着部１６および副止着部１８の受面ｅの平面度が悪くても、確実にしかも容易に記録媒体１９を主止着部１６に固定できる。逆に記録媒体１９が主止着部１６とフック２０との間に固定された図６（ｂ）の状態からボルト１７をガイドピン２５から緩めていけば、記録媒体１９が副止着部１８とフック２０との間に固定された図６（ａ）の状態のようになり、記録装置本体からの副止着部１８および記録媒体１９の取り外しが可能となる。
【００２５】
以上の説明では、副止着部１８への記録媒体１９の位置決めを、上下方向は記録媒体１９を二つのフック２０に突き当てて、左右方向は副止着部１８の目印１８ｈに記録媒体１９の端部を合わせて行う例を示したが、記録媒体１９に複数の穴を設け副止着部１８にその穴と嵌合する位置決めピンを設けても良い。また、記録媒体の形状や厚さや材質等の違いによっては専用の副止着部１８を設けても良い。反面、ロール紙等の搬送時にこの副止着部１８のフック２０が邪魔になるときには、副止着部１８を取り外すことも可能である。
【００２６】
本発明に適用される記録媒体は紙だけに限定されるものではなく、例えば大判Ａ２サイズ以上の記録紙や刷版機に用いられるアルミ板の版材にも応用可能である。すなわち、大判の記録紙やアルミ板は重量的に通常の紙よりもかなり重いが、本発明の構成とすればその重量を気にすることなく固定出来る。特に、本発明の記録媒体の固定方法では記録媒体を平面的に固定できるため、アルミ板の版材のようにある程度の剛性を有する曲げにくい記録媒体を印刷できるというメリットもある。
【００２７】
【発明の効果】
以上説明したように本発明によれば、あらかじめ記録装置本体から取り外した副止着部に記録媒体を固定した後に記録装置本体の主止着部に取り付けることから、副止着部の取り付け移動時に記録媒体に手が触れることが無く、記録媒体の折れ曲がりやシワ等が発生してしまうことは無い。また、副止着部を主止着部に取り付けたとき、副止着部のフックに対向した受面がフック開放方向に後退してフックが主止着部に付勢して記録媒体を固定するため、主止着部に対する副止着部の取り付け位置がばらついても、また、主止着部および副止着部のフック圧着面の平面度が多少悪くても、確実にしかも容易に記録媒体を固定できる。
【００２８】
また、別の手段として副止着部に記録媒体との位置決めピンを設けるようにしたため、副止着部と記録媒体との位置決めを容易に行えるばかりでなく、副止着部への記録媒体の固定が確実となる。
【００２９】
更に、Ａ２以上の大きな記録媒体、あるいは刷版機の版として用いられる記録媒体（例えばアルミ板からなる版材）などを、重量等を考慮せずに容易に固定・支持することが可能となった。
【図面の簡単な説明】
【図１】  本発明の一例を示す記録媒体の固定構造を示す全体斜視図である。
【図２】  図１における副止着部の構成及び組み立て状態を示す斜視図である。
【図３】  図２における副止着部の構成の詳細を示すの断面図である。
【図４】  図２における副止着部の構成の詳細を示すの断面図である。
【図５】  図１における副止着部の取り付け状態を示す斜視図である。
【図６】  図１における副止着部の取り付け状態を示す断面図である。
【符号の説明】
１は印字部、２はアーム部、３、９、１０はガイドレール、４、１２はモータ、５は駆動プーリ、６はタイミングベルト、７は従動プーリ、８はベース部、１１はボールネジ、１３はカップリング、１４はブロック、１５は記録媒体止着部、１６は主止着部、１７はボルト、１８は副止着部、１８ｅは受面、１９は記録媒体、２０はフック、２１はスプリング、２２はシャフト、２３はレバー、２４はガイドプレート、２５はガイドピンである。
【図１】
0003752800.tif 000002
【図２】
0003752800.tif 000003
【図３】
0003752800.tif 000004
【図４】
0003752800.tif 000005
【図５】
0003752800.tif 000006
【図６】
0003752800.tif 000007